(57)【特許請求の範囲】
【請求項１】
上方に向かって広がる窪みを有する本体と、
前記本体に装着されて、前記本体に設けられた吸込口に面したフィルタを支持するフィルタアセンブリと、
下向きの受け面で前記本体の窪みに受け止められて、前記窪みを支点に、収納位置に納まる第１姿勢と、収納位置から前方に傾いて、定位置に装着された前記フィルタアセンブリの占有空間に干渉する第２姿勢との間で姿勢変化する電気集塵ユニットと、
前記電気集塵ユニットの前方に配置されて、前記本体に取り付けられる電装品箱と
を備え、
前記本体には、前記窪みの前端に連続して、前記電装品箱の後方に配置されて前記フィルタアセンブリ側に前傾する傾斜面が形成されることを特徴とする空気調和機。
【請求項２】
請求項１に記載の空気調和機において、前記第１姿勢の前記電気集塵ユニットに弾性力で係り合い前記第１姿勢を保持し、前記第１姿勢から前記第２姿勢への姿勢変化に応じて前記電気集塵ユニットに対して係り合いを解除する係り部材をさらに備えることを特徴とする空気調和機。
【請求項３】
請求項１または２に記載の空気調和機において、
前記電気集塵ユニットの外面に固定される固定接点と、
前記本体に固定され、前記電気集塵ユニットの前記第１姿勢の際に前記固定接点に接触する第１位置、および、前記電気集塵ユニットの前記第２姿勢の際に前記固定接点に接触する第２位置で変位する弾性電気接点と
をさらに備えることを特徴とする空気調和機。
【請求項４】
請求項１〜３のいずれか１項に記載の空気調和機において、下限位置に達する前記フィルタを検出するセンサを備えることを特徴とする空気調和機。
【発明の詳細な説明】
【技術分野】
【０００１】
本発明は空気調和機等に関する。
【背景技術】
【０００２】
特許文献１に開示されるように、空気調和機は電気集塵ユニットを備える。電気集塵ユニットは気流の吸込口に面している。電気集塵ユニットはエアフィルタの後方の空間に装着される。エアフィルタが取り外されると電気集塵ユニットの前方で吸込口は開放される。開放された吸込口を通じて電気集塵ユニットは着脱される。
【先行技術文献】
【特許文献】
【０００３】
【特許文献１】特開２０１０−７１６３１号公報
【発明の概要】
【発明が解決しようとする課題】
【０００４】
電気集塵ユニットは空気調和機の正面からエアフィルタよりも奥行き方向に位置する。電気集塵ユニットの収納位置はエアフィルタよりも奥まって配置されることから、正しい収納位置に電気集塵ユニットを納めたか否かを目視によって確認することは難しい。特に、空気調和機は室内の天井に沿って壁面に設置されることから、空気調和機の正面から内部をのぞき込む作業は難しい。
【０００５】
本発明のいくつかの態様によれば、簡単な作業でフィルタの後方の空間に電気集塵ユニットを装着することができる空気調和機を提供することができる。
【課題を解決するための手段】
【０００６】
本発明の一態様は、上方に向かって広がる窪みを有する本体と、本体に装着されて、本体に設けられた吸込口に面したフィルタを支持するフィルタアセンブリと、下向きの受け面で本体の窪みに受け止められて、前記窪みを支点に、収納位置に納まる第１姿勢と、収納位置から前方に傾いて、定位置に装着された前記フィルタアセンブリの占有空間に干渉する第２姿勢との間で姿勢変化する電気集塵ユニットとを備え、前記本体には、前記窪みの前端に連続して、前記フィルタアセンブリ側に前傾する傾斜面が形成される空気調和機に関する。
【０００７】
電気集塵ユニットの装着にあたって上方から窪みに電気集塵ユニットは落とし込まれる。重力に影響されながら、下向きの受け面は傾斜面に案内されつつ窪みに受け止められる。作業者は空気調和機の正面から手探りで窪みに電気集塵ユニットを納めることができる。こうして電気集塵ユニットは第２姿勢を確立する。その後、フィルタアセンブリが定位置に装着されると、フィルタアセンブリは第２姿勢の電気集塵ユニットに干渉する。フィルタアセンブリは第２姿勢から第１姿勢に電気集塵ユニットを押し込むことができる。こうして電気集塵ユニットは第１姿勢で収納位置に納まる。フィルタアセンブリは空気調和機の正面で前方（設置の壁面から最も遠い位置）に配置されることから、作業者は比較的に簡単にフィルタアセンブリの装着作業を実施することができる。作業者は、わざわざ空気調和機の正面から内部をのぞき込まなくても、装着の作業を完了することができる。
【０００８】
空気調和機は、前記電気集塵ユニットの前方に配置されて、前記本体に取り付けられる電装品箱を備える。このとき、前記傾斜面は前記電装品箱の後方に配置される。窪みは電装品箱で隠れる。作業者から電気集塵ユニットの収納位置はさらに見づらい。こうして電装品箱が配置されても、作業者は簡単に上方から窪みに電気集塵ユニットを落とし込むことができる。作業者は簡単にフィルタアセンブリの装着作業を実施することができる。作業者は、わざわざ空気調和機の正面から内部をのぞき込まなくても、装着の作業を完了することができる。
【０００９】
空気調和機は、前記第１姿勢の前記電気集塵ユニットに弾性力で係り合い前記第１姿勢を保持し、前記第１姿勢から前記第２姿勢への姿勢変化に応じて前記電気集塵ユニットに対して係り合いを解除する係り部材をさらに備えてもよい。本体からフィルタアセンブリが取り外されると、フィルタアセンブリから電気集塵ユニットへ押さえの作用は解除される。このとき、係り部材は電気集塵ユニットの第１姿勢を維持することができる。こうして電気集塵ユニットのがたつきは回避される。
【００１０】
空気調和機は、前記電気集塵ユニットの外面に固定される固定接点と、前記本体に固定され、前記電気集塵ユニットの前記第１姿勢の際に前記固定接点に接触する第１位置、および、前記電気集塵ユニットの前記第２姿勢の際に前記固定接点に接触する第２位置で変位する弾性電気接点とをさらに備えてもよい。電気集塵ユニットが窪みに落とし込まれて第２姿勢を確立すると、弾性電気接点は第２位置で電気集塵ユニットの固定接点に接触する。フィルタアセンブリによって押し込まれて電気集塵ユニットが収納位置に納まっても、弾性電気接点は第１位置で電気集塵ユニットの固定接点に接触し続ける。
【００１１】
空気調和機は、下限位置に達する前記フィルタを検出するセンサを備えてもよい。電気集塵ユニットが収納位置に納まると、フィルタアセンブリは定位置に装着されることができる。その一方で、電気集塵ユニットが収納位置に納まらないと、フィルタアセンブリと電気集塵ユニットとの干渉に応じてフィルタアセンブリは定位置に装着されることができない。このとき、センサはフィルタを検出することができない。したがって、センサの出力に基づき電気集塵ユニットの位置ずれは検出されることができる。
【発明の効果】
【００１２】
以上のように開示の態様によれば、簡単な作業でフィルタの後方の空間に電気集塵ユニットを装着することができる。
【図面の簡単な説明】
【００１３】
【図１】本発明の一実施形態に係る空気調和機の構成を概略的に示す概念図である。
【図２】一実施形態に係る室内機の外観を概略的に示す斜視図である。
【図３】室内機の本体の構成を概略的に示す斜視図である。
【図４】室内機の構造を概略的に示す分解斜視図である。
【図５】本体内の構造を概略的に示す部分斜視図である。
【図６】エアフィルタの構造を概略的に示す拡大斜視図である。
【図７】室内機の本体の拡大垂直断面図である。
【図８】フィルタレールの下端の構造を概略的に示す拡大斜視図である。
【図９】電気集塵ユニットの一端を概略的に示す拡大部分斜視図である。
【図１０】本体の窪みの構造を概略的に示す拡大部分斜視図である。
【図１１】図７に対応し、収納位置の電気集塵ユニットおよび定位置のエアフィルタアセンブリを概略的に示す拡大垂直断面図である。
【図１２】収納位置の突片を示す拡大側面図である。
【図１３】収納位置から前方に傾いた突片を示す拡大側面図である。
【図１４】図７に対応し、定位置のエアフィルタアセンブリに干渉する電気集塵ユニットを概略的に示す拡大垂直断面図である。
【発明を実施するための形態】
【００１４】
以下、添付図面を参照しつつ本発明の一実施形態を説明する。
【００１５】
（１）空気調和機の構成
図１は本発明の一実施形態に係る空気調和機１１の構成を概略的に示す。空気調和機１１は室内機１２および室外機１３を備える。室内機１２は例えば建物内の室内空間の壁面の上部に設置される。その他、室内機１２は室内空間に相当する空間に設置されればよい。室内機１２には室内熱交換器１４が組み込まれる。室外機１３には圧縮機１５、室外熱交換器１６、膨張弁１７および四方弁１８が組み込まれる。室内熱交換器１４、圧縮機１５、室外熱交換器１６、膨張弁１７および四方弁１８は冷凍回路１９を形成する。
【００１６】
冷凍回路１９は第１循環経路２１を備える。第１循環経路２１は四方弁１８の第１口１８ａおよび第２口１８ｂを相互に結ぶ。第１循環経路２１には、圧縮機１５が設けられている。圧縮機１５の吸入管１５ａは四方弁１８の第１口１８ａに冷媒配管を介して接続される。第１口１８ａからガス冷媒は圧縮機１５の吸入管１５ａに供給される。圧縮機１５は低圧のガス冷媒を所定の圧力まで圧縮する。圧縮機１５の吐出管１５ｂは四方弁１８の第２口１８ｂに冷媒配管を介して接続される。圧縮機１５の吐出管１５ｂからガス冷媒は四方弁１８の第２口１８ｂに供給される。冷媒配管は例えば銅管であればよい。
【００１７】
冷凍回路１９は第２循環経路２２をさらに備える。第２循環経路２２は四方弁１８の第３口１８ｃおよび第４口１８ｄを相互に結ぶ。第２循環経路２２には、第３口１８ｃ側から順番に室外熱交換器１６、膨張弁１７および室内熱交換器１４が組み込まれる。室外熱交換器１６は、通過する冷媒と周囲の空気との間で熱エネルギーの交換をする。室内熱交換器１４は、通過する冷媒と周囲の空気との間で熱エネルギーの交換をする。第２循環経路２２は例えば銅管などの冷媒配管で形成されればよい。
【００１８】
室外機１３には送風ファン２３が組み込まれる。送風ファン２３は室外熱交換器１６に通風する。送風ファン２３は例えば羽根車の回転に応じて気流を生成する。気流は室外熱交換器１６を通り抜ける。通り抜ける気流の流量は羽根車の回転数に応じて調整される。
【００１９】
室内機１２には送風ファン２４が組み込まれる。送風ファン２４は室内熱交換器１４に通風する。送風ファン２４は羽根車の回転に応じて気流を生成する。送風ファン２４の働きで室内機１２には室内空気が吸い込まれる。室内空気は室内熱交換器１４を通り抜け冷媒と熱交換する。熱交換された冷気または暖気の気流は室内機１２から吹き出される。通り抜ける気流の流量は羽根車の回転数に応じて調整される。
【００２０】
冷凍回路１９で冷房運転が実施される場合には、四方弁１８は第２口１８ｂおよび第３口１８ｃを相互に接続し第１口１８ａおよび第４口１８ｄを相互に接続する。したがって、圧縮機１５の吐出管１５ｂから高温高圧の冷媒が室外熱交換器１６に供給される。冷媒は室外熱交換器１６、膨張弁１７および室内熱交換器１４を順番に流通する。室外熱交換器１６では冷媒から外気に放熱する。膨張弁１７で冷媒は低圧まで減圧される。減圧された冷媒は室内熱交換器１４で周囲の空気から吸熱する。冷気が生成される。冷気は送風ファン２４の働きで室内空間に吹き出される。
【００２１】
冷凍回路１９で暖房運転が実施される場合には、四方弁１８は第２口１８ｂおよび第４口１８ｄを相互に接続し第１口１８ａおよび第３口１８ｃを相互に接続する。圧縮機１５から高温高圧の冷媒が室内熱交換器１４に供給される。冷媒は室内熱交換器１４、膨張弁１７および室外熱交換器１６を順番に流通する。室内熱交換器１４では冷媒から周囲の空気に放熱する。暖気が生成される。暖気は送風ファン２４の働きで室内空間に吹き出される。膨張弁１７で冷媒は低圧まで減圧される。減圧された冷媒は室外熱交換器１６で周囲の空気から吸熱する。その後、冷媒は圧縮機１５に戻る。
【００２２】
（２）室内機の構成
図２は一実施形態に係る室内機１２の外観を概略的に示す。室内機１２は本体２５を備える。本体２５に室内熱交換器１４が支持される。本体２５の正面（前面）にはアウターパネル２６が開閉自在に覆い被さる。
【００２３】
本体２５の底板２７には吹出口２８が形成される。吹出口２８は室内に向けて開口される。本体２５は背面で例えば室内の壁面に固定されることができる。吹出口２８は、室内熱交換器１４で生成される冷気または暖気の気流を吹き出す。
【００２４】
吹出口２８には前後１対の上下風向板２９ａ、２９ｂが配置される。上下風向板２９ａ、２９ｂはそれぞれ水平軸線３１ａ、３１ｂ回りに回転することができる。回転に応じて上下風向板２９ａ、２９ｂは吹出口２８を開閉することができる。上下風向板２９ａ、２９ｂの角度に応じて、吹き出される気流の方向は変えられる。
【００２５】
図３に示されるように、本体２５の天板３２には吸込口３３が形成される。室内熱交換器１４に流入する空気は吸込口３３から取り込まれる。本体２５には天板３２の下方で室内熱交換器１４の前方に複数のエアフィルタアセンブリ３４が着脱自在に装着される。エアフィルタアセンブリ３４は水平軸線３１ａ、３１ｂの軸方向に横並びに並べられる。個々のエアフィルタアセンブリ３４はエアフィルタ３５およびフィルタ清掃ユニット３６を備える。エアフィルタ３５はフィルタ清掃ユニット３６上に支持され保持される。フィルタ清掃ユニット３６は支持枠３７で本体２５に固定される。支持枠３７が本体２５の定位置に装着されると、エアフィルタ３５は室内熱交換器１４の収容空間と吸込口３３に接する空間とに本体２５内の空間を分割する。吸込口３３側の空間の空気はエアフィルタ３５を通過して室内熱交換器１４の収容空間に進入する。
【００２６】
支持枠３７には前側フィルタレール３８が形成される。前側フィルタレール３８はエアフィルタ３５の左右両側に相互に平行に延びる。前側フィルタレール３８の延長線上で本体２５には左右の後側フィルタレール３９が形成される。後側フィルタレール３９はエアフィルタ３５の左右両側に相互に平行に延びる。エアフィルタ３５は左右両側でスライド自在にフィルタレール３８、３９に保持される。フィルタレール３８、３９は水平軸線３１ａ、３１ｂに直交する垂直面に沿って形成される。フィルタレール３８、３９はエアフィルタ３５の前後移動を案内する。こうしてエアフィルタ３５の移動経路は規定される。
【００２７】
本体２５の底板２７上で最も前方（設置時に壁面から最も遠い位置）には電装品箱４１が配置される。電装品箱４１の後方で底板２７上に室内熱交換器１４は支持される。電装品箱４１の筐体は例えば水平軸線３１ａ、３１ｂの軸方向に２つのエアフィルタアセンブリ３４にまたがって配置される。電装品箱４１には制御回路その他の電装品が収容される。制御回路は室内機１２の動作を制御する。
【００２８】
図４に示されるように、個々のフィルタ清掃ユニット３６は上ダストボックス４２および下ダストボックス４３を備える。上ダストボックス４２および下ダストボックス４３は支持枠３７を形成する。上ダストボックス４２および下ダストボックス４３は前後に配置されて相互に重ねられる。上ダストボックス４２および下ダストボックス４３の間にエアフィルタ３５が配置される。エアフィルタ３５の清掃時、概ねエアフィルタ３５の前面の塵埃は上ダストボックス４２のボックス本体４５に回収され、エアフィルタ３５の後面の塵埃は下ダストボックス４３に回収される。
【００２９】
フィルタ清掃ユニット３６は第１従動ギア４６および第２従動ギア４７を備える。第１従動ギア４６は上ダストボックス４２に取り付けられる。第１従動ギア４６は水平軸４８回りで回転する。第１従動ギア４６は、上ダストボックス４２内の後述する清掃ブラシを回転駆動する。第１従動ギア４６の歯は上ダストボックス４２の外面から部分的に露出する。同様に、第２従動ギア４７は下ダストボックス４３に取り付けられる。第２従動ギア４７は水平軸４９回りで回転する。第２従動ギア４７は、下ダストボックス４３の両端に配置されエアフィルタ３５を駆動する。第２従動ギア４７の歯は下ダストボックス４３の外面から部分的に露出する。エアフィルタアセンブリ３４が本体２５にセットされると、第１従動ギア４６は本体２５に搭載の第１駆動ギア（図示されず）に噛み合い、同様に第２従動ギア４７は本体２５に搭載の第２駆動ギア（図示されず）に噛み合う。個々の駆動ギアには個別に電動モータといった駆動源（図示されず）が連結される。個々の駆動源から供給される駆動力に応じて第１従動ギア４６および第２従動ギア４７は個別に回転する。
【００３０】
本体２５には電気集塵ユニット５１が着脱自在に装着される。ここでは、電気集塵ユニット５１は一方のエアフィルタアセンブリ３４の背後に収納される。電気集塵ユニット５１は例えば前後の導電格子５２を備える。前側の導電格子５２は帯電電極として機能する。後側の導電格子５２は集塵電極として機能する。花粉などの細かな塵埃は前側の導電格子５２を通過する際に導電格子５２の放電で帯電する。帯電した塵埃は後側の導電格子５２に引き寄せられる。こうして細かな塵埃は電気集塵ユニット５１で捕獲される。放電にあたって電気集塵ユニット５１には本体２５から電力が供給される。
【００３１】
本体２５にはエアフィルタアセンブリ３４の定位置を規定する構造が形成される。こうした構造は、エアフィルタアセンブリ３４の左右両側で物理的な垂直面５３を規定する壁や、当該垂直面５３から突き出て前後方向にエアフィルタアセンブリ３４の位置決めを担う突き当て面５４を規定する突片で構成されればよい。壁の垂直面５３は例えば水平軸線３１ａ、３１ｂに直交すればよく、突き当て面５４は水平軸線３１ａ、３１ｂに平行な垂直面で構成されればよい。本体２５およびエアフィルタアセンブリ３４の間には、エアフィルタアセンブリ３４が定位置に装着された際に弾性力でエアフィルタアセンブリ３４に係り合って定位置にエアフィルタアセンブリ３４を保持する機構が構成されてもよい。こうした機構は定位置でエアフィルタアセンブリ３４のがたつきを防止することができる。
【００３２】
本体２５には本体２５前面側から収納空間５５に向かって電気集塵ユニット５１の移動を案内する案内構造が形成される。案内構造は、上向きの物理的水平面５６や、当該水平面５６の前端に位置する稜線５７で構成されることができる。稜線５７は水平軸線３１ａ、３１ｂに平行に延びる。水平面５６は下方から電気集塵ユニット５１を支持し、電気集塵ユニット５１の水平姿勢の維持に役立つ。稜線５７は、水平面５６上で水平軸線３１ａ、３１ｂに平行に電気集塵ユニット５１の姿勢を維持する際に役立つ。
【００３３】
図５に示されるように、本体２５には送風ファン２４が回転自在に支持される。送風ファン２４には例えばクロスフローファンが用いられる。送風ファン２４は水平軸線３１ａ、３１ｂに平行な回転軸５８回りで回転する。送風ファン２４の回転軸５８は本体２５の設置時に水平方向に延びる。送風ファン２４は吹出口２８に平行に配置される。送風ファン２４には駆動源（図示せず）から回転軸５８回りの駆動力が伝達される。駆動源は本体２５に支持される。送風ファン２４の回転に応じて気流は室内熱交換器１４を通過する。その結果、冷気または暖気の気流が生成される。冷気または暖気の気流は吹出口２８から吹き出される。
【００３４】
室内熱交換器１４は前側体１４ａおよび後側体１４ｂを備える。前側体１４ａは送風ファン２４の前側から送風ファン２４に向き合わせられる。後側体１４ｂは送風ファン２４の後側から送風ファン２４に向き合わせられる。前側体１４ａおよび後側体１４ｂは上端で相互に連結される。前側体１４ａおよび後側体１４ｂは冷媒管５９ａを有する。冷媒管５９ａは水平方向に往復する。すなわち、冷媒管５９ａは、水平軸線３１ａ、３１ｂに平行に延び、本体２５の正面視左右端で折り返され、再び水平軸線３１ａ、３１ｂに平行に延び、再び本体２５の正面視左右端で折り返され、これらが繰り返される。冷媒管５９ａは第２循環経路２２の一部を構成する。冷媒管５９ａには複数の放熱フィン５９ｂが結合される。放熱フィン５９ｂは水平軸線３１ａ、３１ｂに直交しつつ相互に平行に広がる。冷媒管５９ａおよび放熱フィン５９ｂは例えば銅やアルミといった金属材料から形成されることができる。冷媒管５９ａおよび放熱フィン５９ｂを通じて冷媒と空気との間で熱交換が実現される。
【００３５】
図６に示されるように、エアフィルタ３５はフレーム６１およびメッシュシート６２を備える。メッシュシート６２は例えばポリエチレンテレフタラートの繊維（樹脂繊維）を格子状に組み合わせて構成される。メッシュシート６２はフレーム６１に支持される。フレーム６１はメッシュシート６２の形状を保持する機能を有する。フレーム６１は樹脂材料（例えばポリプロピレン）から形成される。メッシュシート６２のメッシュは気流に対して交差するように配置され、気流の通路を形成する。
【００３６】
エアフィルタ３５のフレーム６１にはラック６３が形成される。ラック６３は、メッシュシート６２の左右両側で直線上に配列される。ラック６３は、下ダストボックス４３に収納されるピニオン（図示されず）に噛み合う。ピニオンは第２従動ギア４７に連結される。第２従動ギア４７の回転はピニオンに伝達される。こうして第２従動ギア４７の回転に応じて、エアフィルタ３５はフィルタレール３８、３９に沿って前後に移動する。上ダストボックス４２および下ダストボックス４３に対してエアフィルタ３５は相対的に移動する。
【００３７】
図７に示されるように、フィルタ清掃ユニット３６はピニオン（駆動部材）６５を備える。ピニオン６５は例えば下ダストボックス４３に回転自在に支持される。ピニオン６５の外周は、例えば支持枠３７に形成される押さえ板（案内部材）６６の湾曲面に所定の間隔で向き合わせられる。湾曲面はピニオン６５の回転軸に平行な母線で形成される。エアフィルタ３５がフィルタ清掃ユニット３６に装着されると、フレーム６１およびラック６３はピニオン６５の外周と押さえ板６６の湾曲面とに挟まれる。こうしてラック６３はピニオン６５に噛み合う。押さえ板６６はピニオン６５からラック６３の離脱を防止する。ピニオン６５および押さえ板６６でエアフィルタ３５の移動は案内される。
【００３８】
ピニオン６５は第２従動ギア４７に連結される。第２従動ギア４７の回転はピニオン６５に伝達される。ピニオン６５の回転はピニオン６５の接線方向にラック６３の移動を引き起こす。こうして第２従動ギア４７の回転に応じて水平軸線３１ａ、３１ｂに直交する垂直面に沿った方向に上ダストボックス４２および下ダストボックス４３に対してエアフィルタ３５の相対移動は実現される。
【００３９】
フィルタ清掃ユニット３６は清掃ブラシ６７を備える。清掃ブラシ６７はブラシ台座６８およびブラシ毛７１を備える。ブラシ台座６８は第１従動ギア４６からの駆動力により水平軸６９回りに回転することができる。ブラシ毛７１はブラシ台座６８の円筒面上に所定の中心角範囲にわたって配置される。ブラシ毛７１の植毛範囲はブラシ台座６８の軸方向にエアフィルタ３５を横切る広がりを有する。清掃ブラシ６７は所定の回転位置でブラシ毛７１をエアフィルタ３５に接触させ当該回転位置以外ではブラシ毛７１をエアフィルタ３５から離脱させる。ブラシ毛７１がエアフィルタ３５に接触した状態でフィルタレール３８、３９に沿ってエアフィルタ３５が移動すると、エアフィルタ３５の前面に付着した塵埃はブラシ毛７１に絡め捕られることができる。
【００４０】
フィルタ清掃ユニット３６はブラシ受け７２を備える。ブラシ受け７２は下ダストボックス４３内に収納される。ブラシ受け７２は支え面７３を有する。支え面７３は清掃ブラシ６７に向き合わせられる。ブラシ毛７１がエアフィルタ３５に接触する際に支え面７３はブラシ毛７１との間にエアフィルタ３５を挟み込む。その他、支え面７３にはブラシ毛が植毛されてもよい。
【００４１】
本体２５にはさらなるフィルタレール７５が設けられる。フィルタレール７５は前側フィルタレール３８の下端に連続し下方に延びる。フィルタレール７５は例えば直線的な案内路７６を規定する。エアフィルタアセンブリ３４が本体２５に装着されると、支持枠３７の前側フィルタレール３８はフィルタレール７５の案内路７６に連続してエアフィルタ３５の移動経路を有する。こうしてフィルタレール７５は移動経路の下限位置７７までエアフィルタ３５の下端の変位を案内する。ピニオン６５は下限位置７７に向かってエアフィルタ３５の移動を引き起こす駆動力をエアフィルタ３５に伝達する。
【００４２】
前側フィルタレール３８にはフィルタレール７５とピニオン６５との間で屈曲域３８ａが形成される。屈曲域３８ａは前下がりのフィルタレール３８と垂直方向のフィルタレール３８とを相互に接続する。屈曲域３８ａの下方ではフィルタレール７５に切れ目７８が形成される。切れ目７８の下方でエアフィルタ３５が拘束され、ピニオン６５が下方に向かってエアフィルタ３５を駆動し続けると、切れ目７８からエアフィルタ３５は前方に張り出す。
【００４３】
図８に示されるように、本体２５にはセンサ８１が組み込まれる。センサ８１は下限位置７７に達するエアフィルタ３５を検出する。ここでは、センサ８１にはリミットスイッチが用いられる。リミットスイッチはフィルタレール７５の案内路７６内に配置される。リミットスイッチは案内路７６の内部空間に向かって突き出る接触片８２を備える。接触片８２には斜面８３が形成される。斜面８３は下限位置７７に近づくにつれてフィルタレール７５の壁面から遠ざかる。エアフィルタ３５の下端が案内路７６に沿って下限位置７７に達すると、エアフィルタ３５の下端は斜面８３に接触する。エアフィルタ３５の作用で接触片８２はフィルタレール７５の壁面に向かって引っ込む。接触片８２が引っ込むことでリミットスイッチは通電する。センサ８１はオンされる。エアフィルタ３５が下限位置７７に達しない限り、センサ８１のオフは維持される。センサ８１はエアフィルタアセンブリ３４ごとに設置される。
【００４４】
図９に示されるように、電気集塵ユニット５１は導電格子５２を支持するユニット本体８４を備える。ユニット本体８４には、水平軸線３１ａ、３１ｂに平行な稜線８５が設けられている。稜線８５に直交する垂直面がユニット本体８４の左右両端を形成する。こうしてユニット本体８４の左右両端には稜線８５に直交する端面８６が形成される。図９には正面から見て電気集塵ユニット５１の右端のみが描かれる。
【００４５】
ユニット本体８４の個々の端面８６には突片８７が配置される。突片８７は端面８６から稜線８５に平行に外方に突き出る。ユニット本体８４は左右１対の突片８７で室内機１２の本体２５に両持ち支持される。左側の突片は、稜線に直交する垂直面に対して突片８７との間で面対称となる形状を有すればよい。
【００４６】
突片８７の下端には下向きの受け面８８が形成される。受け面８８は部分円筒面で形成される。部分円筒面の母線は稜線８５に平行となるように規定される。受け面８８には平面８９が連続する。平面８９は受け面８８の上端から上方に広がる。ユニット本体８４が本体２５に取り付けられるとき、平面８９は前向き（アウターパネル２６の方向）に面する。
【００４７】
ユニット本体８４の端面８６には係り受け片９１が配置される。係り受け片９１は板材９２を備える。板材９２の後端には上向きに屋根形の突起９３が一体に形成される。突起９３の頂点は稜線８５に平行な稜線を形成する。板材９２の上向き面から突起９３は盛り上がる。板材９２は弾性を有しており、突起９３は上下に変位することができる。
【００４８】
平面８９および受け面８８には第１固定接点９４が固定される。ユニット本体８４の利稜線８５に隣接し、端面に直交する下向き面には、第２固定接点９５が固定される。ユニット本体８４の端面８６上には外向きに第３固定接点９６が固定される。第３固定接点９６は端面８６の平面から外向きに張り出して配置されており、ユニット本体８４が本体２５に取り付けられるとき、後述する第３弾性電気接点１０６に接触する。第１固定接点９４、第２固定接点９５および第３固定接点９６は例えばステンレス鋼といった導電材から形成されればよい。
【００４９】
本体２５は左右１対の窪みを有する。窪みは上方に向かって広がる。図１０には正面から見て右側の窪み９７のみが描かれる。左側の窪みは水平軸線３１ａ、３１ｂに直交する垂直面に関して窪み９７との間で面対称を構成する形状を有すればよい。窪み９７は突片８７の受け面８８に対応して湾曲面で形成される。湾曲面は例えば水平軸線３１ａ、３１ｂに平行な母線で構成される。湾曲面は例えば受け面８８よりも大きい曲率半径を有する部分円筒面で構成されればよい。窪み９７と受け面８８との間では、受け面８８が窪み９７に受け止められる際に窪み９７を支点に突片８７が前後に揺動する関係が成立すればよい。
【００５０】
窪み９７の前端には傾斜面９８が連続して設けられる。傾斜面９８はフィルタアセンブリ３４の取付位置側に前傾する平面で形成される。平面は窪み９７から連続する。窪み９７の下端から傾斜面９８の上端までの距離は突片８７の下端から板材９２までの距離よりも小さく設定される。したがって、窪み９７に突片８７が受け止められる際に、傾斜面９８は係り受け片９１に干渉しない。窪み９７に受け面８８が受け止められて平面８９が傾斜面９８に受け止められると、電気集塵ユニット５１で予備姿勢（第２姿勢）が確立される。
【００５１】
窪み９７の後端には支持面９９が連続して設けられる。支持面９９は重力方向から例えば後に傾く平面で形成される。平面は窪みの母線から連続する。窪み９７に受け面８８が受け止められて突片８７が支持面９９に受け止められると、電気集塵ユニット５１で収納姿勢（第１姿勢）が確立される。
【００５２】
支持面９９の上方には係り部材１０１が配置される。係り部材１０１は本体２５に固定される。係り部材１０１は板材１０２を備える。板材１０２は水平に広がる。板材１０２と窪み９７の下端との距離は突片８７の下端と板材９２との距離よりも大きく設定される。板材１０２の下向き面には突起１０３が形成される。突起１０３は平たい下向き面から下向きに盛り上がる。突起１０３には水平軸線３１ａ、３１ｂに平行に配置される稜線から両側に下る斜面が形成されればよい。こうした稜線で突起１０３の頂上は規定される。突起１０３の頂上と窪み９７の下端との距離は、突片８７の下端と板材９２との距離よりも大きいものの、突起９３の頂上と突片８７の下端との距離よりも小さい。
【００５３】
傾斜面９８には第１弾性電気接点１０４が配置される。第１弾性電気接点１０４は例えば導電性の板バネ材から形成される。板バネ材は山折りに折られて山折りの稜線で傾斜面９８から最も遠ざかる。板バネ材の上端は傾斜面９８に固定される。上端から板バネ材に傾斜面９８に平行に押しつけ力が作用すると、板バネ材の弾性変形に応じて山折りの稜線は傾斜面９８に近づき、板バネ材は傾斜面９８に重なることができる。
【００５４】
水平軸線３１ａ、３１ｂに平行に窪み９７からずれた位置で収納空間５５には第２弾性電気接点１０５が配置される。第２弾性電気接点１０５は収納空間５５内の水平面に固定される。第２弾性電気接点１０５は例えば導電性の板バネ材から形成される。板バネ材は山折りに折られて山折りの稜線で水平面から上方に最も遠ざかる。板バネ材は一端で水平面に連結される。山折りの稜線から板バネ材に下方に向かって押しつけ力が作用すると、板バネ材の弾性変形に応じて山折りの稜線は水平面に近づき、板バネ材は水平面に重なることができる。
【００５５】
水平軸線３１ａ、３１ｂに直交して収納空間５５に面する垂直面には第３弾性電気接点１０６が配置される。第３弾性電気接点１０６は例えば導電性の板バネ材から形成される。板バネ材は山折りに折られて山折りの稜線で垂直面から水平方向に最も遠ざかる。板バネ材は一端で垂直面に連結される。山折りの稜線から板バネ材に水平方向に押しつけ力が作用すると、板バネ材の弾性変形に応じて山折りの稜線は垂直面に近づき、板バネ材は垂直面に重なることができる。
【００５６】
（３）室内機の動作
送風ファン２４が動作すると、本体２５内では吸込口３３から吹出口２８に向かって気流が生成される。吸込口３３から吸引された空気はエアフィルタ３５を通過して室内熱交換器１４を通過する。冷房運転時には空気は室内熱交換器１４で冷却されて吹出口２８から吹き出される。暖房運転時には空気は室内熱交換器１４で暖められて吹出口２８から吹き出される。気流がエアフィルタ３５を通過する際にメッシュシート６２のメッシュの大きさよりも大きい塵埃はメッシュを通過することができない。塵埃はエアフィルタ３５の前面に捕獲される。室内熱交換器１４に向かって流れる気流から塵埃などは除去される。室内熱交換器１４には清浄な気流が流れ込む。吹出口２８から清浄な空気の冷気または暖気は吹き出される。
【００５７】
こうした送風時にはエアフィルタ３５の下端は吸込口３３の下側輪郭線に位置合わせされる。こうしてエアフィルタ３５の下端が位置合わせされると、エアフィルタ３５の上端は吸込口３３の上側輪郭線に位置合わせされる。こうして吸込口３３は全面にわたってエアフィルタ３５で塞がれる。エアフィルタ３５は移動経路に沿った前後方向に最小長さで広がる。気流が吸込口３３を流通する際に気流はエアフィルタ３５を通過する。
【００５８】
次に、エアフィルタ３５の清掃を説明する。エアフィルタ３５の清掃にあたってフィルタ清掃ユニット３６は動作する。フィルタ清掃ユニット３６ではブラシ台座６８は回転動作する。ブラシ台座６８の回転動作に応じて清掃ブラシ６７のブラシ毛７１はエアフィルタ３５の前面に接触する。このとき、エアフィルタ３５の後面はブラシ受け７２の支え面７３に受け止められる。エアフィルタ３５はブラシ毛７１と支え面７３との間に挟まれる。
【００５９】
第２従動ギア４７は駆動される。エアフィルタ３５はフィルタレール３８、３９に沿って前後に移動する。エアフィルタ３５の移動に応じてブラシ毛７１はエアフィルタ３５の前面をなぞる。こうしてブラシ毛７１はエアフィルタ３５の前面から塵埃を絡め捕る。絡め捕られた塵埃は上ダストボックス４２に回収される。支え面７３とエアフィルタ３５が接触することで落下した塵埃は下ダストボックス４３に回収される。
【００６０】
図１１に示されるように、電気集塵ユニット５１が収納位置に納まると、エアフィルタアセンブリ３４は定位置に装着されることができる。電気集塵ユニット５１は下向きの受け面８８で本体２５の窪み９７に受け止められて第１姿勢を確立する。第１姿勢の電気集塵ユニット５１は、定位置に装着されたエアフィルタアセンブリ３４の占有空間よりも内側に位置する。このとき、図１２に示されるように、突片８７の平面８９は傾斜面９８から遠ざかる。係り部材１０１と電気集塵ユニット５１の係り受け片９１とは弾性力で相互に係り合う。係り合いの結果、電気集塵ユニット５１は第１姿勢に保持される。突片８７の平面８９は傾斜面９８から離れるものの、第１弾性電気接点１０４は第１位置で第１固定接点９４に接触し続ける。
【００６１】
電気集塵ユニット５１の突片８７は窪み９７を支点に第１姿勢と第２姿勢との間で姿勢変化する。突片８７が第２姿勢を確立すると、図１３に示されるように、突片８７の平面８９は傾斜面９８に重なる。電気集塵ユニット５１は収納位置から前方に傾く。第１姿勢から第２姿勢への姿勢変化に応じて係り部材１０１は係り受け片９１に対して係り合いを解除する。解除にあたって係り受け片９１の弾性変形が引き起こされる。第１弾性電気接点１０４は板バネ材の作用で平たく潰れて平面８９と傾斜面９８との重なりを許容する。第１弾性電気接点１０４は第２位置に変位し第１固定接点９４に接触し続ける。
【００６２】
図１４に示されるように、電気集塵ユニット５１の第２姿勢の確立に先立ってエアフィルタアセンブリ３４は本体２５から外される。第２姿勢では電気集塵ユニット５１は定位置に装着されたエアフィルタアセンブリ３４の占有空間に干渉することから、エアフィルタアセンブリ３４が本体２５の定位置に位置する限り、電気集塵ユニット５１は第１姿勢から第２姿勢に姿勢変化することはできない。第２姿勢の電気集塵ユニット５１は、係り部材１０１の掛かり合いから解放されることから、収納空間５５から外側に引き出されることができる。こうして電気集塵ユニット５１は本体２５から取り外されることができる。
【００６３】
電気集塵ユニット５１の装着にあたって上方から収納空間５５に電気集塵ユニット５１は落とし込まれる。重力の作用を受けながら、突片８７の受け面８８は傾斜面９８に案内されつつ窪み９７に受け止められる。こうして突片８７の平面８９は傾斜面９８に重ねられる。このとき、第１固定接点９４は第１弾性電気接点１０４に受け止められる。第２固定接点９５は第２弾性電気接点１０５に受け止められる。第３固定接点９６は第３弾性電気接点１０６に受け止められる。
【００６４】
作業者は室内機１２の正面から手探りで窪み９７に電気集塵ユニット５１の突片８７を納めることができる。こうして電気集塵ユニット５１は第２姿勢を確立する。その後、エアフィルタアセンブリ３４が定位置に装着されると、エアフィルタアセンブリ３４は第２姿勢の電気集塵ユニット５１に干渉する。エアフィルタアセンブリ３４は第２姿勢から第１姿勢に電気集塵ユニット５１を押し込むことができる。こうして電気集塵ユニット５１は第１姿勢で収納位置に納まる。エアフィルタアセンブリ３４は室内機１２の正面で前方（設置の壁面から最も遠い位置）に配置されることから、作業者は比較的に簡単にエアフィルタアセンブリ３４の装着作業を実施することができる。作業者は、わざわざ室内機１２の正面から内部をのぞき込まなくても、装着の作業を完了することができる。
【００６５】
前述のように、電気集塵ユニット５１が第１姿勢を確立しない限り、定位置にエアフィルタアセンブリ３４は装着されることができない。電気集塵ユニット５１収納位置に納まらないうちにエアフィルタアセンブリ３４が本体２５に装着されても、エアフィルタアセンブリ３４は定位置に至ることはできない。電気集塵ユニット５１が収納位置に納まらないと、エアフィルタアセンブリ３４と電気集塵ユニット５１との干渉に応じてエアフィルタアセンブリ３４は定位置に装着されることができない。このとき、エアフィルタ３５はフィルタレール３８、３９に沿って移動することができない。移動できないので、エアフィルタ３５は案内路７６に沿って下限位置７７に達することもできない。センサ８１はエアフィルタ３５を検出することができない。したがって、センサ８１の出力に基づき電気集塵ユニット５１の位置ずれは検出されることができる。
【符号の説明】
【００６６】
１１  空気調和機、２５  本体、３４  フィルタアセンブリ（エアフィルタアセンブリ）、３５  フィルタ（エアフィルタ）、４１  電装品箱、５１  電気集塵ユニット、８１  センサ、９４  第１固定接点、９５  第２固定接点、９６  第３固定接点、９７  窪み、９８  傾斜面、１０１  係り部材、１０４  第１弾性電気接点、１０５  第２弾性電気接点、１０６  第３弾性電気接点。
【図１】
0006443626.tif 000002
【図２】
0006443626.tif 000003
【図３】
0006443626.tif 000004
【図４】
0006443626.tif 000005
【図５】
0006443626.tif 000006
【図６】
0006443626.tif 000007
【図７】
0006443626.tif 000008
【図８】
0006443626.tif 000009
【図９】
0006443626.tif 000010
【図１０】
0006443626.tif 000011
【図１１】
0006443626.tif 000012
【図１２】
0006443626.tif 000013
【図１３】
0006443626.tif 000014
【図１４】
0006443626.tif 000015